(57)【要約】【課題】電気機器のネジ端子部に対して、簡単な巻き付け作業で対応でき、しかも保守，点検時にも絶縁シートを簡単に取り外して再使用できるようにした、低コストで使い勝手性のよい電気機器のネジ端子用絶縁シートを提供する。【解決手段】帯状に打ち抜いた絶縁シート６の始端側に電気機器１の端子片１ａに螺設した端子ネジ４の軸部先端に嵌着するネジ係合穴６ａを穿孔するとともに、長手方向に沿った中間部位および終端部のシート面には当該シートを巻き付け状態に留める突起形状の係合爪部６ｂ，および該係合爪部を差し込む係合溝６ｃを形成して構成し、前記係合穴６ａを端子ネジ４に掛止して絶縁シート６を配線接続部の周囲に巻き付け、その係合爪部６ｂを終端の係合溝６ｃに差し込んで巻き付け状態に留める。【選択図】図１
2011096450.tif 000002
【特許請求の範囲】
【請求項１】
電気機器の配線用ネジ端子に外部導体を接続した状態でその配線接続部の周囲に巻き付けて絶縁を確保する絶縁シートであって、帯状に打ち抜いた絶縁シートの始端側端部に端子ネジの軸部先端に嵌着するネジ係合穴を穿孔するとともに、長手方向に沿った中間部位および終端部のシート面には当該絶縁シートを巻き付け状態に留める突起形状の係合爪部，および該係合爪部を差し込む係合溝を切欠き形成したことを特徴とする電気機器のネジ端子用絶縁シート。
【請求項２】
請求項１に記載の絶縁シートにおいて、絶縁シートの始端側に穿孔したネジ係合穴の周縁複数箇所にラジアル方向の切込溝を形成したことを特徴とする電気機器のネジ端子用絶縁シート。
【請求項３】
請求項１に記載の絶縁シートにおいて、絶縁シートの終端側に長手方向に位置をずらして複数の係合溝を形成したことを特徴とする電気機器のネジ端子用絶縁シート。
【発明の詳細な説明】
【技術分野】
【０００１】
この発明は、低圧配電系統の配電盤，制御盤などの盤内に装備して使用する開閉器，計器用変成器などの各種電気機器に対し、その外部配線用のネジ端子に電線などを接続した状態でその配線接続部の周囲に巻き付けて絶縁を確保するようにした絶縁シートに関する。
【背景技術】
【０００２】
まず、頭記電気機器の一般的な外部配線の接続構造を図６（ａ），（ｂ）に示す。図において、１は電気機器、２は盤内に設置した電気機器１の取付板、３は電気機器１に接続した外部配線用の電線である。ここで、電気機器１のケースから左右一列に並べて外方に引き出した電源側，および負荷側の各端子片１ａには端子ネジ４が螺設されおり、電線３を配線する際には、電線３の先端に取付けた圧着端子３ａを前記端子ネジ４に嵌挿し、ナット４ａで締結するようにしていることは周知の通りである。なお、図７のように電気機器１の端子部に外部接続する導体として、図６に示した電線３の代わりに、盤内に敷設したバー導体５を端子ネジ４に接続する場合もある。
【０００３】
この場合に、電気機器１の前記端子部に電線３を配線接続した状態で、感電防止，並びに異物の接触による端子間のショートを避けるための防止対策として前記配線接続部の周囲を絶縁材で覆うような措置を施しているが、この場合に前記のネジ端子構造では端子片１ａに螺設した端子ネジ４，ナット４ａなどの部品で凹凸状の異形を呈していることから、通常の絶縁テープを巻き付けるテーピング作業が困難であるために、その代替手段として従来では次記のような各種の絶縁方法が提案，採用されている。
（１）ネジ端子部の外形形状に対応してあらかじめ成型したプラスチックなどからなる成型品の絶縁カバーをネジ端子部および電線の圧着端子を覆うように嵌着する。
（２）樹脂接着剤と硬化剤を現場で混ぜ合せたパテ状の絶縁材を配線接続部の外面に塗布する。
（３）熱収縮チューブを採用する。
（４）そのほか、軟質ゴムシートを二つ折りにして配線接続部に被せ、そのシート周縁をホック止めして固定する（例えば、特許文献１参照）。
【先行技術文献】
【特許文献】
【０００４】
【特許文献１】特開平１１−２９９０６２号公報
【発明の概要】
【発明が解決しようとする課題】
【０００５】
ところで、前記した従来の配線接続部の絶縁方法はコスト，作業性の面で次記のような問題点があった。
（１）成型品になる絶縁カバーは適用サイズ、形状が限定されるため、各種電気機器の端子形状，サイズに対応する多品種を用意する必要があってコスト高となる。
（２）パテ状の絶縁材は塗布作業に手間がかかるほか、電気機器の保守，点検、電線の配線変更などのメンテナンス時にはその都度パテを取り除き、その修復には改めてパテを塗り直す必要がある。
（３）熱収縮チューブは比較的安価に入手できるが、配線接続部に被着する熱収縮作業にはト−チなどの熱源が必要で作業場所が限定される難点があるほか、取り外しにはチューブを切断する必要があって再使用できない。
（４）さらに、特許文献１に開示されている軟質ゴムシートのホック止め構造は、適用できる電気機器の形状が限られ、またシートの固定に専用ホックが必要であるために部品点数が多くてコスト高となるほか、その取付け作業にも手間がかかる。
【０００６】
この発明は上記の点に鑑みなされたものであり、その目的は端子ネジに外部導体を接続した配線接続部に対して、専用治具，熟練を要しない簡易な手作業により巻き付けて絶縁確保に対応でき、しかも電気機器の保守，点検、外部配線変更などのメンテナンス時にも絶縁シートを簡単に取り外して再使用できるようにした低コストで使い勝手性のよい電気機器のネジ端子用絶縁シートを提供することにある。
【課題を解決するための手段】
【０００７】
前記目的を達成するために、この発明による絶縁シートは、帯状に打ち抜いたシートの始端側に電気機器の端子部に設けた端子ネジの軸部先端に嵌着するネジ係合穴を穿孔するとともに、長手方向に沿った中間部位および終端部のシート面には当該シートを巻き付け状態に留める突起形状の係合爪部，および該係合爪部を差し込む係合溝を形成して構成するものとし（請求項１）、その細部構造については次記のような態様で構成することができる。
（１）前記絶縁シートの始端側に穿孔したネジ係合穴の周縁複数箇所にラジアル方向の切込溝を形成する（請求項２）。
（２）前記絶縁シートの終端側に長手方向に位置をずらして複数の係合溝を形成する（請求項３）。
【発明の効果】
【０００８】
上記したこの発明の絶縁シートによれば、電気機器のネジ端子部に外部導体を配線した状態で、その配線接続部への巻き付けに際してシートの始端側に穿孔したネジ係合穴を端子ネジの軸先端に嵌合して掛止することにより、端子ネジおよびここに接続した電線の圧着端子を包囲してその配線接続部に絶縁シートを簡単な手作業で巻き付けることができる。そして、巻き付けた絶縁シートの終端に形成した係合溝にシートの途中に形成した係合爪部を差し込むことで簡単に絶縁シートを巻き付け状態に留めることができる。しかも、この絶縁シートは、軟質ゴムシート，軟質プラスチックシートを所謂ビク抜き金型と言われる簡易な金型を使って簡単に打ち抜くことが可能であり、安価なコストで作製できる。
【０００９】
また、前記ネジ係合穴の周縁に切込溝を形成しておくことにより、異径サイズの端子ネジにも対応でき、かつ絶縁シートの始端を端子ネジのネジ軸に嵌合した状態ではネジ係合穴の周縁が端子ネジのネジ溝に噛み合って絶縁シートの脱落，ずれが防げる。さらに、絶縁シートの終端側に、長手方向に位置をずらして複数の係合溝を形成しておくことにより、配線接続部の外形サイズに合わせて絶縁シートの巻き付け長さの調整が可能となる。
【図面の簡単な説明】
【００１０】
【図１】この発明の実施例による絶縁シートを電気機器のネジ端子部に巻き付ける直前の状態を表した斜視図である。
【図２】図１における絶縁シートの詳細構造図であり、（ａ）は平面図、（ｂ），（ｃ）はそれぞれ（ａ）における矢視Ａ部，Ｂ部の拡大図である。
【図３】図１における絶縁シートの巻き付け手順の説明図であり、絶縁シートの始端を電気機器の端子ネジに掛止した状態を表す斜視図である。
【図４】図３の状態から絶縁シートを配線接続部に巻き付けて留めた状態の斜視図である。
【図５】図４における絶縁シートの巻き付け状態を表す拡大図である。
【図６】ネジ端子部に電線を接続した電気機器の図であり、（ａ）は斜視図、（ｂ）は（ａ）における要部の側面図である。
【図７】ネジ端子部にバー導体を接続した電気機器の斜視図である。
【発明を実施するための形態】
【００１１】
以下、この発明による実施の形態を図１〜図５に示す実施例に基づいて説明する。なお、実施例の図中で図６に対応する部材には同じ符号を付してその説明は省略する。
【００１２】
この実施例においては、外部配線の電線３に取り付けた圧着端子３ａを電気機器１の端子片１ａに端子ネジ４，ナット４ｂを介して締結した状態で、この配線接続部の周囲にこの発明による絶縁シート６を巻き付けて絶縁を確保するようにしている。
【００１３】
次に、前記絶縁シート６の詳細構造を図２（ａ）〜（ｃ）に示す。この絶縁シート６は所謂ビク抜き金型と言われる金型を使って軟質ゴムシート，軟質プラスチックシートから打ち抜いて作製したもので、帯状に打ち抜いた絶縁シート６の始端（巻き始め側）には前記端子ネジ４のネジ軸先端に嵌着する係合穴（丸穴）が穿孔されている。また、シートの長手方向に沿った中間部位には当該絶縁シートを巻き付け状態で留める突起状の係合爪部６ｂが、さらに終端（巻き終わり側）には前記係合爪部６ｂを差し込む複数の係合溝６ｃが形成（金型による打ち抜き）されている。また、前記係合穴６ａの穴径は端子ネジ４のネジ径に対応し（ネジ径よりも一回り小径）、さらに図２（ｂ）で示すように係合穴６ａの周縁複数箇所にはラジアル方向の切込溝６ａ−１が形成されている。なお、図２の絶縁シート６に表した点線は当該絶縁シートを電気機器１の端子部に巻き付けた際のコーナー折り目を仮想線として表したものである。
【００１４】
次に、前記絶縁シート６を電気機器１の配線接続部に巻き付ける作業手順を図３〜図５で説明する。先ず、絶縁シート６の始端に穿孔した係合穴６ａを端子ネジ４のネジ軸先端に嵌め込んでこの位置に掛止する。この場合に係合穴６ａの周縁には切込溝６ａ−１が形成されているので、押し広げられた係合穴６ａの周縁が端子ネジ４のネジ溝に噛み合って簡単に脱落することがない。
【００１５】
次に、図４，図５で表すように各極の端子ごとに端子片１ａに接続した電線３の圧着端子３ａ，および端子ネジ４，ナット４ａを包囲してネジ端子部の外周に絶縁シート６を巻き付けた上で、シートの中間部位から起立した係合爪部６ｂにシート終端の係合溝６ｃを差し込んで絶縁シート６を巻き付け状態に留め、これでネジ端子一極分の巻き付け作業が完了する。以下、前記と同様な手順で他極の端子部に絶縁シート６を巻き付けて配線接続部の絶縁を確保する。
【００１６】
上記の巻き付け作業手順から判るように、絶縁シート６の巻き付けには専用の治具，高度な熟練を要することなく簡単な手作業で行える。また、巻き付けた絶縁シート６は、その終端の係合溝６ｃを係合爪部６ｂから外すことで配線接続部から容易に取り外すことができ、電気機器の保守，点検、電線の配線変更などを行うメンテナンス時でも、一旦取り外した絶縁シート６を再使用することかできる。なお、図示実施例では絶縁シート６の適用例として、圧着端子付き電線３を電気機器１の端子に接続した場合を述べたが、図７に示したバー導体５に対しても同様に実施適用できることは勿論である。
【符号の説明】
【００１７】
１：電気機器
１ａ：端子片
３：電線
３ａ：圧着端子
４：端子ネジ
４ａ：ナット
６：絶縁シート
６ａ：係合穴
６ａ−１：切込溝
６ｂ：係合爪部
６ｃ：係合溝
【図１】
2011096450.tif 000003
【図２】
2011096450.tif 000004
【図３】
2011096450.tif 000005
【図４】
2011096450.tif 000006
【図５】
2011096450.tif 000007
【図６】
2011096450.tif 000008
【図７】
2011096450.tif 000009